(57)【要約】      （修正有）【課題】第１の記録媒体から第２の記録媒体に交換されても、保持され続けたファイル通し番号を用いてファイル名を作成し、当該第１の記録媒体と当該第２の記録媒体とに記録されるファイル名が重複することをなくした画像取り扱い装置を提供する。【解決手段】ファイル形式で交換可能な記録媒体に画像データを記録するものであって、画像データを記録媒体に記録する度に更新される数値情報を記憶するための記憶手段を有し、この記憶手段は記録媒体が取り外されて別の記録媒体に交換された場合においても、記憶されている数値情報を保持し、この記憶手段に記憶されている数値情報に基づいて設定される番号を含むファイル名を自動的に生成、記録媒体にファイル名とともに画像データを記録する制御手段を備える。【選択図】図１
2008211813.tif 000002
【特許請求の範囲】
【請求項１】
画像信号をファイル形式の画像情報として交換可能な記録媒体に格納する画像取り扱い装置であって、
上記ファイル形式の画像情報を作成する際に使用するファイル通し番号を記憶する記憶手段と、
一部を固定の文字で形成し、他部を上記記憶手段に記憶されているファイル通し番号で形成されたファイル名を生成するファイル名生成手段と、
上記ファイル名を生成する度に上記記憶手段に記憶されているファイル通し番号をインクリメントする番号更新手段と、
を具備し、
上記番号更新手段によって更新され、上記記録媒体に記憶されたファイル通し番号は、記録媒体が第１の記録媒体から第２の記録媒体に交換された場合であっても保持され続け、交換後の第２の記録媒体へ最初に記憶されるファイル名は当該保持し続けられているファイル通し番号を用いて作成されることを特徴とする画像取り扱い装置。
【請求項２】
画像信号をファイル形式の画像情報として交換可能な記録媒体に格納する画像取り扱い装置であって、
ファイル通し番号を記憶すると共に、上記記録媒体が取り外されて別の記録媒体に交換された場合においても、記憶したファイル通し番号を保持し続ける記憶手段と、
上記記憶手段に記憶されているファイル通し番号を含むファイル名を自動的に生成する第１のファイル名生成モードと、上記記録媒体の上記画像データを記憶するディレクトリに付されたディレクトリ番号を含むファイル名を自動的にに生成する第２のファイル名生成モードとのいずれか一方を選択的に実行し、さらに上記記録媒体に上記ファイル名とともに上記画像データを記録する制御手段と、
上記第１のファイル名生成モードと、上記第２のファイル名生成モードとの何れか一方を選択指定するための選択指定部と、
上記第１のファイル名生成モードにおいて、上記ファイル名を生成する度に上記記憶手段に記憶されたファイル通し番号をインクリメントする番号更新手段と、
を備えたことを特徴とする画像取り扱い装置。
【発明の詳細な説明】
【技術分野】
【０００１】
本発明は、記録媒体にファイル名とともに画像データを記録する画像取り扱い装置に関する。
【背景技術】
【０００２】
従来の記録媒体としてフロッピー（登録商標）ディスク、メモリカード、ハードディスク、光ディスク、磁気テープ等を用いる画像取り扱い装置である画像記録再生装置は、設定された記録時間間隔により静止画のインターバル記録を行うことが可能であるが、上記記録時間間隔は、上記各記録媒体に関わらず、適用可能な媒体のうち、最もアクセス速度が遅いとされる記録媒体に合わせて、上記時間間隔が設定されていた。
【０００３】
また、上記の記録方法において得られた画像データをフロッピー（登録商標）ディスク、メモリカード等の交換可能な記録媒体に記録する場合、これらの記録媒体は、小型で可搬性が良く簡単に取り扱えるという特徴を有するが、記録可能なデータ量に限りがあるために、一定量の画像データを記録すると新たな記録媒体に交換する必要があった。さらに、得られた画像データを識別可能にするために、各画像データ毎にファイル名を付与する必要もあった。
【発明の開示】
【発明が解決しようとする課題】
【０００４】
ところが、上述の画像記録装置によって記録された画像データを、交換する複数の記録媒体に記録する場合に、異なる記録媒体間で、ファイル名が重複するおそれがあった。
【０００５】
このように、これら複数の記録媒体間で画像データのファイル名の重複が発生した場合、画像データのコピー時に、同一ファイル名の画像データが消去されてしまうなどの不具合が生じる。
【０００６】
このような不具合をさけるためには、コピー時において、ファイル名が重複しないようにしなければならず、重複している場合にはいずれかのファイル名を書き換える（リネーム）する必要があり、手間がかかる。
【０００７】
本発明は、従来の画像記録装置のこのような課題を考慮し、ファイル形式で交換可能な記録媒体に画像信号を記録する画像記録装置において、記録媒体が第１の記録媒体から第２の記録媒体に交換されても保持され続けたファイル通し番号を用いてファイル名を作成して、当該第１の記録媒体と当該第２の記録媒体とに記録されるファイル名が重複することがないようにした画像取り扱い装置を提供することを目的とする。
【０００８】
また、記録媒体が交換されてもファイル名の重複が生じないようにファイル名を設定する第２のファイル名生成モードにすることで、ファイル名をリネームしなくても、その情報が消去されないようにすることができ、さらに、ファイル名の番号を選択し得る最も少ない番号に設定する第１のファイル名生成モードにすることで、記録媒体内で効率よくファイル名を生成して画像データを記録することができ、さらにまた、モード選択手段を備えてこれらの複数のモードを状況に応じて選択することができ、利便性に優れた画像記録装置を提供することを目的とする。
【課題を解決するための手段】
【０００９】
本発明の一態様による画像取り扱い装置は、画像信号をファイル形式の画像情報として交換可能な記録媒体に格納する画像取り扱い装置であって、
上記ファイル形式の画像情報を作成する際に使用するファイル通し番号を記憶する記憶手段と、
一部を固定の文字で形成し、他部を上記記憶手段に記憶されているファイル通し番号で形成されたファイル名を生成するファイル名生成手段と、
上記ファイル名を生成する度に上記記憶手段に記憶されているファイル通し番号をインクリメントする番号更新手段と、
を具備し、
上記番号更新手段によって更新され、上記記録媒体に記憶されたファイル通し番号は、記録媒体が第１の記録媒体から第２の記録媒体に交換された場合であっても保持され続け、交換後の第２の記録媒体へ最初に記憶されるファイル名は当該保持し続けられているファイル通し番号を用いて作成される。
【００１０】
本発明の他の態様による画像取り扱い装置は、画像信号をファイル形式の画像情報として交換可能な記録媒体に格納する画像取り扱い装置であって、
ファイル通し番号を記憶すると共に、上記記録媒体が取り外されて別の記録媒体に交換された場合においても、記憶したファイル通し番号を保持し続ける記憶手段と、
上記記憶手段に記憶されているファイル通し番号を含むファイル名を自動的に生成する第１のファイル名生成モードと、上記記録媒体の上記画像データを記憶するディレクトリに付されたディレクトリ番号を含むファイル名を自動的にに生成する第２のファイル名生成モードとのいずれか一方を選択的に実行し、さらに上記記録媒体に上記ファイル名とともに上記画像データを記録する制御手段と、
上記第１のファイル名生成モードと、上記第２のファイル名生成モードとの何れか一方を選択指定するための選択指定部と、
上記第１のファイル名生成モードにおいて、上記ファイル名を生成する度に上記記憶手段に記憶されたファイル通し番号をインクリメントする番号更新手段と、
を備えている。
【発明の効果】
【００１１】
本発明は、ファイル形式で交換可能な記録媒体に画像信号を記録する画像記録装置において、記録媒体が第１の記録媒体から第２の記録媒体に交換されても保持され続けたファイル通し番号を用いてファイル名を作成して、当該第１の記録媒体と当該第２の記録媒体とに記録されるファイル名が重複することがない。
【００１２】
また、記録媒体が交換されてもファイル名の重複が生じないようにファイル名を設定する第２のファイル名生成モードにすることで、ファイル名をリネームしなくても、その情報が消去されないようにすることができ、さらに、ファイル名の番号を選択し得る最も少ない番号に設定する第１のファイル名生成モードにすることで、記録媒体内で効率よくファイル名を生成して画像データを記録することができ、さらにまた、モード選択手段を備えてこれらの複数のモードを状況に応じて選択することができる。
【発明を実施するための最良の形態】
【００１３】
以下、図面を参照して本発明の実施例を説明する。
【実施例】
【００１４】
図１は、本発明の一実施例の画像取り扱い装置である画像記録再生装置のリモコン送信器等を接続した状態でのブロック構成図である。
【００１５】
なお、該記録再生装置１に適用可能な画像情報の記録媒体は、図１に示すように、メモリカード３とフロッピィディスク（以下、ＦＤと記載する）５とハードディスク（以下、ＨＤと記載する）である。
【００１６】
本実施例の画像記録再生装置１は、取り込まれるビデオ信号をビデオＲＡＭであるＶＲＡＭ１３ｃに書き込むためにＡ／Ｄ変換するＡ／Ｄ変換回路１１と、ＶＲＡＭ１３ｃの画像出力をＤ／Ａ変換し、モニタ等にビデオ信号を出力するＤ／Ａ変換回路１２と、上記ＶＲＡＭ１３ｃを内蔵する画像データ記憶部１３と、データ・アドレスバス２２，２３と、ビデオバス２４と、記録再生制御部１４と、リモコン送信器２からの送信赤外光を受光し、ＣＰＵ１４ａに該送信信号を出力するリモコン受光部１５と、装置本体のフロントパネル１ａ（図２参照）上にその操作釦が配設される操作スイッチ群１６と、本記録再生装置１の作動状態を表示するＬＥＤ群であって、上記パネル１ａ上に配設される表示部１７と、モデム４と接続されるシリアルインターフェース回路であるＲＳ２３２ＣＩ／Ｆ１８と、メモリカード３が接続されるメモリカード用インターフェース回路のメモリカードＩ／Ｆ１９と、ＨＤ２０のドライブ装置と、フロッピィディスクドライブ（以下、ＦＤＤと記載する）２１と、ＤＣ９Ｖ系，ＤＣ５Ｖ系の電源部を構成する電池２５および電圧レギュレータ２６とにより構成されている。
【００１７】
なお、上記データ・アドレスバス２２，２３は、メモリカードＩ／Ｆ１９等と制御部１４、および、制御部１４と画像データ記憶部１３のＲＡＭ−Ａ１３ａとＤ／Ａ，Ａ／Ｄ回路１２，１１の間の信号伝達用バスである。
【００１８】
また、ビデオバス２４は、画像データ記憶部１３のＶＲＡＭ１３ｃとＤ／Ａ変換回路１２またはＡ／Ｄ変換回路１１の間のビデオ信号伝達用バスである。
【００１９】
上記記録再生制御部１４は、本装置の各制御要素のコントロールを行うものであって、上記リモコン受光部１５からの信号や操作スイッチ群１６の上記出力信号が入力され、インターバル記録手段等を内蔵するコントロールを行うＣＰＵ１４ａと、ビデオ信号に重量するキャラクタデータを出力するＣＧ回路１４ｂと、一時的なデータの記憶を行うＲＡＭ−Ｂ１４ｃと、各種制御処理のアルゴリズムを記憶するＲＯＭ１４ｄと、電源オフ時用にインターバル記録の記録時間間隔等の各種データを記憶しているＥＥＰＲＯＭ１４ｅと、ＦＤＤ２１をコントロールするフロッピィディスクドライブコントローラ１４ｆ（以下、ＦＤＣと記載する）で構成されている。
【００２０】
また、上記処理データ記憶部１３は、データ・アドレスバス２３、または、後述するコーダ回路１３ｂを介して画像データが一時的に取り込まれるＲＡＭ−Ａ１３ａと、画像データの圧縮、または、伸張を行う上記コーダ回路１３ｂと、ビデオバス２４、または、コーダ回路１３ｂを介してビデオ信号が取り込まれるＶＲＡＭ１３ｃとで構成される。
【００２１】
図２は、上記画像記録再生装置１の前面パネル１ａ上の操作スイッチ群１６のスイッチ釦，ＬＥＤ表示部１７，メモリカード３、および、ＦＤ５のイジェクト釦付き挿入口１ｂ，１ｃ等の配設状態を示す図である。
【００２２】
上記記録媒体の挿入口１ｂ，１ｃの他に、パネル１ａに配設されている釦、および、表示部としては、パワースイッチ釦であるＰＯＷＥＲ  ＳＷ１６ｚの釦と、キャラクタ表示用スイッチ釦であるＤＩＳＰ  ＳＷ１６ｗの釦と、例えば、画像データの圧縮，非圧縮条件等を設定するためのスイッチ釦であるＳＥＴ  ＳＷ１６ｘの釦と、再生，記録コマＮＯ．等を表示するＬＥＤ表示部１７ｅと、記録媒体を選択するためのスイッチ釦であるＣＡＲＤ／ＦＤ／ＨＤ  ＳＷ１６ｒの釦と、該選択された媒体を表示するＬＥＤ１７ｆと、汎用の矢印選択スイッチ釦であって、上方向指定用のＵＰ  ＳＷ１６ｓの釦、下方向指定用のＤＯＷＮ  ＳＷ１６ｕの釦、右方向指定用のＲＩＧＨＴ  ＳＷ１６ｖの釦、左方向指定用のＬＥＦＴ  ＳＷ１６ｔの釦とが配設されている。
【００２３】
更に、画像データのコピー処理における転送元と転送先の記録媒体を表示する転送方向表示用ＬＥＤ１７ｇと、画像データ圧縮，非圧縮処理の状態を示すＬＥＤ表示部であって、それぞれの条件での圧縮を行うときの固定（１）表示１７ａ，固定（２）表示１７ｂ、可変長圧縮を行うときの可変表示１７ｃ、圧縮を行わないときの非圧縮表示１７ｄと、１画面の画像データを記録媒体にコピーするためのスイッチ釦であるＣＯＰＹ  ＳＷ１６ａの釦と、ある記録媒体に記録されている全画像データの全てを別の記録媒体にコピーするためのスイッチ釦であるＡＬＬ  ＣＯＰＹ  ＳＷ１６ｂの釦と、記録媒体のフォーマットを行うためのスイッチ釦であるＦＯＲＭＡＴ  ＳＷ１６ｃの釦と、画像データの１画面を消去するためのスイッチ釦であるにＥＲＡＳＥ  ＳＷ１６ｄと、画像データの全てを消去するためのスイッチ釦であるにＡＬＬ  ＥＲＡＳＥ  ＳＷ１６ｅと、画像データの記録を行う記録モード指定のスイッチ釦であるＲＥＣ  ＳＷ１６ｆの釦と、インターバル記録モードを設定するためのスイッチ釦であるＩＮＴ．ＲＥＣ  ＳＷ１６ｇの釦と、再生モード指定のためのスイッチ釦であるＰＬＡＹ  ＳＷ１６ｊの釦と、上記ＣＯＰＹ  ＳＷ１６ａ〜ＩＮＴ．ＲＥＣ  ＳＷ１６ｇ、および、ＰＬＡＹ  ＳＷ１６ｊ等のスイッチ釦を押圧してスタンバイ状態にした後、それぞれの動作を開始させるスイッチ釦であるＳＴＡＲＴ  ＳＷ１６ｈの釦と、また、上記動作を停止させるスイッチ釦であるＳＴＯＰ  ＳＷ１６ｉの釦とが配設されている。
【００２４】
更に、画像データの記録をフィールド記録するかフレーム記録をするかの指示を行うスイッチ釦であるＦＬＤ／ＦＲＭ  ＳＷ１６ｋの釦と、再生モードにおけるマルチ画面表示における２画面表示設定を行うＣＯＭＰ２  ＳＷ１６ｍ（表示領域指定手段）の釦と、４画面表示設定を行うＣＯＭＰ４  ＳＷ１６ｎの釦と、１６分割表示用のＭＵＬＴＩ１６  ＳＷ１６ｐの釦と、更に、上記ＣＯＰＹ  ＳＷ１６ａ〜ＲＥＣ  ＳＷ１６ｆの各釦の操作状態を表示するためのＬＥＤ１７ｈ等が配設されている。
【００２５】
以上のように構成された本例の画像記録再生装置１の記録，再生，インターバル記録，コピー動作等について各フローチャートを用いて説明する。
【００２６】
図３は、本記録再生装置の制御動作のメインルーチンのフローチャートであり、この処理は、ＰＯＷＥＲ  ＳＷ釦１６ｚをオンした場合にスタートする。まず、ステップＳ１にて、初期設定が行われる。この設定は、ＣＡＲＤ３、および、ＦＤ５の記録，再生のコマＮＯ．を１に設定する等の処理である。そして、接続部「Ｂ４」〜「Ｂ７」等を介して各スイッチ処理を実行する。何れのスイッチも操作されていなかった場合、ステップＳ２，３において、ＲＩＧＨＴ  ＳＷ１６ｖ、または、ＬＥＦＴ  ＳＷ１６ｔの状態をチェックし、オン状態であればそれぞれコマＮＯ．をインクリメント、または、デクリメントする。そのコマＮＯ．を前面パネル１ａ上の表示部１７ｅに表示して、接続部「Ｂ４」に戻る。
【００２７】
上記接続部「Ｂ４」を介して、図４のフローチャートに示すステップＳ１１以下に進んだ場合、インターバル記録の条件設定が行われる。即ち、ステップＳ１１において、ＩＮＴ．ＲＥＣ  ＳＷ１６ｇのオンオフ状態をチェックし、オフの場合は、後述する図７の接続部「Ｂ５」に進むが、オンの場合はステップＳ１２に進む。
【００２８】
ステップＳ１２において、図２１に示すメニュー画面Ｇ１がその画面情報をＤ／Ａ変換回路１２を介してモニタに出力され、表示される。この画面は、インターバル記録に関する画面であることを示すＩＮＴ  ＲＥＣおよび記録コマ数（１〜２行目）と、インターバル記録における選択可能なインターバル記録時の記録時間間隔の現在値（４行目〜８行目）を各記録媒体、および、データ圧縮時（ＣＯＭＰＲＥＳＳ）と非圧縮時（ＮＯＴ  ＣＯＭＰＲＥＳＳ）に対して示す画面である。なお、上記記録コマ数は、例えば、リモコン等により設定可能とする。
【００２９】
選択可能なインターバル記録時の記録時間間隔は、各記録媒体の圧縮／非圧縮処理に対して、それぞれのアクセス時間に応じて指定ができ、例えば、表１に示す範囲を選択可能とする。この表１に示される時間間隔の下限は、各媒体のアクセス時間上、インターバル記録が可能な限度を示す値であって、この値より短い時間間隔は、ＣＰＵ１４ａに内蔵される規制手段により選択が許容されないものとする。
【００３０】
なお、表１に記録媒体であるＦＤに対して非圧縮処理時の設定定数が示されていないが、これは、実際にＦＤの非圧縮処理でのインターバル記録処理を行っても、１枚のＦＤの記憶容量が１，２画面分しかないため、装置自体で禁止しているためである。また、ＦＤについての（）中に示す符号は、ＦＤの記憶容量に関する性質を示し、ＣＡＲＤの（）中に示す値は、アクセス時間を示している。これらの区別は、媒体を装着時点で装置が自動的に判別するものとする。
【表１】
2008211813.tif 000003
【００３１】
また、実際に記録時間間隔として設定できる値は、上記表１の範囲内であって、予め記憶されているいくつかの実用的な値とする。例えば、アクセス時間２００ｎｓのＣＡＲＤ３において、圧縮処理を行う場合、表２に示す３０種類の値が選択可能となる。なお、この値の選択は、後述する図５のフローチャートのステップＳ３６，３７にて行われる。なお、この選択時に上記の値を越えて選択したときは、ブザー、または、ＬＥＤ等により警告を発するように構成してもよい。
【表２】
2008211813.tif 000004
【００３２】
上記図４のステップＳ１２のメニュー画面Ｇ１表示の後は、ステップＳ１３に進み、該画面Ｇ１の表示部Ｇ１Ａの４行目を赤色表示とする（  ＦＤ（２ＨＤ）ＣＯＭＰＲＥＳＳ．）。更に、ステップＳ１４に進み、ＲＩＧＨＴ  ＳＷ１６ｖのオンオフをチェックする。オンの場合、ステップＳ１９に進み、赤色表示部の位置をチェックし、赤色表示部が４〜８行目内であれば、後述する接続部「Ｂ１」を介して図５のステップＳ３１に進み、赤色表示部が４〜８行目以外であれば、ステップＳ１５に進む。
【００３３】
ステップＳ１５では、ＤＯＷＮ  ＳＷ１６ｕのオンオフをチェックする。オフの場合、ステップＳ１６に進む。オンの場合、ステップＳ２０にジャンプして、赤色表示部を１行下方に移行する。そして、後述するステップＳ１７に進む。
【００３４】
ステップＳ１６では、ＵＰ  ＳＷ１６ｓのオンオフをチェックする。オフの場合、後述するステップＳ１７に進む。オンの場合、ステップＳ２１にジャンプして、赤色表示部を１行上方に移行する。そして、ステップＳ１７に進む。なお、上記ステップＳ２０，Ｓ２１における赤色表示部の移行範囲は、４〜１０行目となる。
【００３５】
ステップＳ１７においては、ＳＴＡＲＴ  ＳＷ１６ｊのオンオフをチェックする。そして、オフの場合、ステップＳ１４に戻る。オンの場合、ステップＳ１８に進み、メニュー画面Ｇ１の９行目が赤色表示であるかをチェックする。９行目が赤色表示でない場合はステップＳ１４に戻る。また、９行目が赤色表示であった場合、ステップＳ２２にジャンプし、記録時間間隔設定の処理解除と判断し、メニュー画面Ｇ１の表示をオフ状態にする。そして、ステップＳ１１に戻る。
【００３６】
上記ステップＳ１９のチェックで接続部「Ｂ１」に進むと、後述する図５のフローチャートに示すステップＳ３１以下の処理がなされる。即ち、ステップＳ３１にて画面Ｇ１の同一行の表示部Ｇ１Ｂを赤色表示とする。そして、ステップＳ３２，３３にて方向スイッチのＵＰ  ＳＷ１６ｓと、ＤＯＷＮ  ＳＷ１６ｕのオンオフ状態をチェックする。ＵＰ  ＳＷ１６ｓ、または、ＤＯＷＮ  ＳＷ１６ｕがオンのときは、赤色表示行の表示部Ｇ１Ｂに表示されている当該媒体の記録時間間隔の定数を前記表２上でプラス（増）方向、または、マイナス（減）方向に変更して、上記ステップＳ３２に戻る。更に、ステップＳ３４では、ＬＥＦＴＳＷ１６ｔのオンオフをチェックし、オンの場合はステップＳ３８にジャンプし、表示部Ｇ１Ａを赤色表示とし、接続部「Ｂ２」を介して、前記図４に示したステップＳ１４に戻り、媒体の指定等の処理を行う。また、ＬＥＦＴ  ＳＷ１６ｔのオフの場合、ステップＳ３５に進む。
【００３７】
ステップＳ３５ではＳＴＡＲＴ  ＳＷ１６ｈのオンオフをチェックする。オフの場合は、ステップＳ３２に戻る。オンの場合、インターバル記録を行うために、ステップＳ３９にてメニュー画面Ｇ１の表示を終了し、ステップＳ４０にて既に設定されている記録時間間隔の値をＥＥＰＲＯＭ１４ｅに書き込む。従って、もし、ＰＯＷＥＲ  ＳＷ１６ｚが切られても、再度、同じ記録時間間隔が容易に設定可能である。
【００３８】
続いて、ステップＳ４１に進み、後述するサブルーチン「ＩＮＴ  ＲＥＣ動作」をコールし、設定された時間間隔でインターバル記録を実行する。その後、接続部「Ｂ３」を介して図４のステップＳ１１に戻る。
【００３９】
図６は、上記サブルーチン「ＩＮＴ  ＲＥＣ動作」のフローチャートである。本処理において、まず、ステップＳ５１にて、媒体の指定を行った後、ステップＳ５２で、後述するサブルーチン「記録」がコールされ、画像データの記録が行われる。そして、ステップＳ５３に進み、既に設定されている記録時間間隔に基づいてタイマ定数の設定を行い、ステップＳ５４でタイマの計時をスタートさせる。
【００４０】
ステップＳ５５において、ＳＴＯＰ  ＳＷ１６ｉのオンオフ状態をチェックし、もし、オンになっていた場合、本ルーチンを終了するが、オフの場合、ステップＳ５６に進む。そこで、残りコマ数上、記録の続行が可能かどうかを判別し、不可能の場合は本ルーチンを終了する。可能である場合、ステップＳ５７に進み、上記タイマの計時の終了をチェックしてステップＳ５５に戻る。計時を終了した場合、本ルーチンを終了する。
【００４１】
このように本装置においては、対象とする記録媒体のアクセス速度を逸脱するような記録時間間隔のみを規制するようにして、媒体の特性を十分に生かした所望の時間間隔のインターバル記録を実行可能となる。
【００４２】
前述したように図４のステップＳ１１におけるＩＮＴ．ＲＥＣ  ＳＷ１６ｇのチェックでオフの場合は、接続部「Ｂ５」を介して図７のフローチャートのステップＳ６１に進む。そこで、ＣＯＰＹ  ＳＷ１６ａのオンオフ状態をチェックする。オフであった場合は接続部「Ｂ６」を介して図８のステップＳ８１に進むが、オンの場合はステップＳ６２に進み、複写処理を実行する。
【００４３】
まず、ステップＳ６２にて、前記図３のステップＳ３，５等で指定されたコピー元となる第１の媒体の指定コマを再生し、モニタに表示する。そして、ステップＳ６３にて、現在、ＣＡＲＤ３対応のＬＥＤ１７ｆが点灯しているかをチェックし、点灯しているときは、ステップＳ６４にて転送表示用ＬＥＤ１７ｇのうちＣＡＲＤからＦＤ転送のＬＥＤを点灯する。点灯していないときは、ステップＳ７１にて転送表示用ＬＥＤ１７ｇのうちＦＤからＣＡＲＤ転送のＬＥＤを点灯する。
【００４４】
そして、ステップＳ６５で転送先の媒体である第２の媒体の記録禁止処理の有無や残りコマ数等でコピーが可能かどうかをチェックする。不可能の場合、ステップＳ７０にジャンプし、転送表示用ＬＥＤ１７ｇのＣＡＲＤからＦＤ転送のＬＥＤ、または、ＦＤからＣＡＲＤ転送のＬＥＤを消灯する。そして、接続部「Ｂ６」を介して図８のステップＳ８１に進む。また、複写が可能な場合、ステップＳ６６，６７に進み、ＲＩＧＨＴ  ＳＷ１６ｖ、または、ＬＥＦＴ  ＳＷ１６ｔのオンオフをチェックする。その何れかがオンの場合、転送元のコマＮＯ．をインクリメント（ステップＳ７２）、または、デクリメント（ステップＳ７３）して、ステップＳ６６に戻る。このとき、単一のＬＥＤ表示部１７ｅに転送元の第１の媒体のコマＮＯ．を表示する。また、上記コマＮＯ．の画像データはＤ／Ａ変換回路１２を介してモニタにて観察可能である。
【００４５】
続いて、ステップＳ６８でＳＴＡＲＴ  ＳＷ１６ｈのオンが検出された場合、ステップＳ７４に進み、転送元の第１の媒体のデータを転送先の第２の媒体に記録するため、後述するサブルーチン「記録」処理を行う。  そして、前述のステップＳ７０に進む。また、ＳＴＡＲＴ  ＳＷ１６ｈがオフのときは、ステップＳ６９に進み、ＳＴＯＰ  ＳＷ１６ｉをチェックして、オフの場合は、前記ステップＳ６６に戻る。また、オンの場合、前記ステップＳ７０に進む。
【００４６】
以上のように本装置による複写動作において、複写先コマＮＯ．は後述する図１４の記録処理にて自動的に選択されることから、複写元の媒体のコマＮＯ．のみを単一の表示部１７ｅに表示すればよく、構成が簡素化される。そして、原画像情報の如何を問わず、この簡素化による使用者への支障はない。
【００４７】
前記図７のフローチャートにおいて接続部「Ｂ６」を介して、図８に示すフローチャートのステップＳ８１にジャンプした場合、ＣＯＭＰ２  ＳＷ１６ｍのオンオフをチェックする。オフの場合は、接続部「Ｂ７」を経由して図３のメインルーチンに戻る。また、オンの場合は、マルチ画面表示のうち、図２２に示すような画面Ｇ２の２画面表示処理を行うステップＳ８２に進む。
【００４８】
次に、本発明にかかる画像記録再生装置１の本実施例の動作等について図７のフローチャート等を用いて説明する。
【００４９】
ステップＳ８２においては、図２２の画面Ｇ２左右に表示される画面のコマ番号ｘとｙとを等しい値に設定し、フラグ（ＦＬＡＧ）Ｒ０の値を１とする。また、画面に上記コマＮＯ．を表示するが右側のコマＮＯ．は赤色表示とする。なお、上記フラグＲ０は、表示画面の１つの部分表示領域と他の部分表示領域である左側領域と右側領域とを選択指定する表示領域指定手段として用いる。なお、上記左側、または、右側表示領域は、図２２のｘ領域、または、ｙ領域が対応する。また、上記２画面とも画面表示倍率は等倍率とする。そして、ステップＳ８３にてモニタに図２２に示すｘコマ目を左半分に、ｙコマ目を右半分に対応させた２画面Ｇ２を表示する。
【００５０】
続いて、ステップＳ８４でＣＯＭＰ２  ＳＷ１６ｍの状態をチェックし、オンの場合、ステップＳ９０にジャンプし、サブルーチン「ＣＯＭＰ２  ＳＷ処理」がコールされる。
【００５１】
上記サブルーチン「ＣＯＭＰ２  ＳＷ処理」は、図９にその処理のフローチャートが示され、まず、ステップＳ１０１でフラグＲ０のチェックを行う。該Ｒ０の値が１であれば、ステップＳ１０２に進み、フラグＲ０を値０とする。そして、ステップＳ１０３で左側に表示するコマＮＯ．を赤色表示する。また、フラグＲ０が、値０であれば、ステップＳ１０４に進み、フラグＲ０を値１とし、そして、ステップＳ１０５で右側に表示するコマＮＯ．を赤色表示し、本ルーチンを終了する。即ち、ＣＯＭＰ２  ＳＷ１６ｍを押す毎に右コマＮＯ．と左コマＮＯ．の表示を交互に赤色に設定することになり、左側領域か右側領域かの選択が可能となる。
【００５２】
上記図８のステップＳ８４の判別でＣＯＭＰ２  ＳＷ１６ｍがオフの場合は、ステップＳ８５以下に進む。該ステップＳ８５とステップＳ８６では、ＲＩＧＨＴ  ＳＷ１６ｖ，ＬＥＦＴ  ＳＷ１６ｔの状態をチェックする。ＲＩＧＨＴ  ＳＷ１６ｖがオンの場合、ステップＳ９１に進み、サブルーチン「ＲＩＧＨＴ  ＳＷ処理」がコールされる。また、ＬＥＦＴ  ＳＷ１６ｔがオンの場合、ステップＳ９２に進み、サブルーチン「ＬＥＦＴ  ＳＷ処理」がコールされる。
【００５３】
なお、上記サブルーチン「ＲＩＧＨＴ  ＳＷ処理」と「ＬＥＦＴ  ＳＷ処理」は、前記表示領域指定手段により指定された部分表示領域である図２２のｘ領域、または、ｙ領域に対応すべく生成される画像信号に対して、上記部分表示領域に映出される画像をスクロールするための処理を実行するための本発明のスクロール処理手段に基づいた処理である。
【００５４】
上記サブルーチン「ＲＩＧＨＴ  ＳＷ処理」は、図１０のフローチャートに示されるように、ステップＳ１１１でフラグＲ０をチェックし、値１のときはステップＳ１１２に、また、値０のときはステップＳ１１３にジャンプする。上記ステップＳ１１２では、ｙ表示領域の水平方向始点座標の値ｙ１をインクリメントする。また、ステップＳ１１３では、ｘ表示領域の水平方向始点座標の値ｘ１をインクリメントする。上記インクリメント処理後、本ルーチンを終了する。
【００５５】
上記サブルーチン「ＬＥＦＴ  ＳＷ処理」は、図１１のフローチャートに示されるように、ステップＳ１１５でフラグＲ０をチェックし、値１のときはステップＳ１１６に、また、値０のときはステップＳ１１７にジャンプする。上記ステップＳ１１６では、ｙ表示領域の水平方向始点座標の値ｙ１をデクリメントする。また、ステップＳ１１７では、ｘ表示領域の水平方向始点座標の値ｘ１をデクリメントする。上記デクリメント処理後、本ルーチンを終了する。
【００５６】
前記水平方向始点座標の値ｘ１，ｙ１は、図２３に示すようにＶＲＡＭ１３ｃに内蔵されるｘ，ｙ領域用のＶＲＡＭ１，ＶＲＡＭ２の画像データ上の水平方向座標に対して、表示画面ｘ，ｙ領域でのスクロール始点を表している。また、表示画面ｘ，ｙ領域でのスクロール終点はｘｂ，ｙｂで示される。従って、その表示範囲は、それぞれｘ１〜ｘｂ、または、ｙ１〜ｙｂで示される。そして、上記水平方向始点の値ｘ１，ｙ１は、ＶＲＡＭ１，ＶＲＡＭ２における通常１画面表示の左端を示す最小値ｘ０，ｙ０からの同１画面表示中点を示す最大値ｘ２，ｙ２の間を採る。そして、水平方向始点の値ｘ１，ｙ１が上記最大値ｘ２，ｙ２を採ったとき、スクロール終点のｘｂ，ｙｂは、ＶＲＡＭ１，ＶＲＡＭ２の通常１画面表示右端位置ｘａ，ｙａと一致する。なお、ＶＲＡＭ１，ＶＲＡＭ２の出力は、切り換えスイッチ素子１３ｃ１と１３ｃ２により切り換えられる。そして、Ｄ／Ａ変換回路１２に出力され、上記２画面の表示を行うことになる。
【００５７】
前記図８のフローチャートにおいて、ステップＳ８５，８６の処理に引き続いて、ステップＳ８７，８８の処理がなされる。
【００５８】
上記ステップＳ８７，８８では、ＵＰ  ＳＷ１６ｓ，ＤＯＷＮ  ＳＷ１６ｕの状態をチェックされる。ＵＰ  ＳＷ１６ｓがオンの場合、ステップＳ９３に進み、サブルーチン「ＵＰ  ＳＷ処理」がコールされる。また、ＤＯＷＮ  ＳＷ１６ｕがオンの場合、ステップＳ９４に進み、サブルーチン「ＤＯＷＮ  ＳＷ処理」がコールされる。
【００５９】
上記サブルーチン「ＵＰ  ＳＷ処理」は、図１２のフローチャートに示されるように、ステップＳ１２１でフラグＲ０をチェックし、値１のときは、ステップＳ１２２に、また、値０のときはステップＳ１２３にジャンプする。上記ステップＳ１２２では、右側表示画面に表示されるコマＮＯ．をインクリメントする。また、ステップＳ１２３では、左側表示画面に表示されるコマＮＯ．をインクリメントする。本ルーチンを終了する。
【００６０】
また、上記サブルーチン「ＤＯＷＮ  ＳＷ処理」は、図１３のフローチャートに示されるように、ステップＳ１２５でフラグＲ０をチェックし、値１のときはステップＳ１２６に、また、値０のときはステップＳ１２７にジャンプする。上記ステップＳ１２６では、右側表示画面に表示されるコマＮＯ．をデクリメントする。また、ステップＳ１２７では、左側表示画面に表示されるコマＮＯ．をデクリメントする。上記デクリメント処理後、本ルーチンを終了する。
【００６１】
更に、上記図８のステップＳ８７，８８の処理の後、ステップＳ８９に進み、ＳＴＯＰ  ＳＷのオンオフをチェックし、オフの場合は前記ステップＳ８３に戻る。オンの場合はステップＳ９５に進み、２画面表示動作の停止等のストップモード処理を行って、接続部「Ｂ７」を介し、後続する処理を実行することになる
。
【００６２】
以上説明したように、上記２画面表示処理においては、ＵＰ  ＳＷ１６ｓ、または、ＤＯＷＮ  ＳＷ１６ｕを操作して指定した２種類のコマＮＯ．の２つの画像データを２画面に分割表示する。そして、ＣＯＭＰ２  ＳＷ１６ｍで右表示画面、または、左表示画面を指定後、ＲＩＧＨＴ  ＳＷ１６ｖ，ＬＥＦＴ  ＳＷ１６ｔのオンオフにより、１画面の中から分割表示する任意の部分を原寸状態で左右いずれかの画面をスクロールして画面表示ができ、両画面の比較、特に境界線近傍や画面の端部の比較を容易に行うことが可能となる。また、本装置のものは、画面分割が左右分割であったが、これに限らず上下分割のマルチ画面表示や２画面以上の分割表示にも本表示処理を応用することができる。
【００６３】
前記図６のサブルーチン「ＩＮＴ  ＲＥＣ動作」のステップＳ５２、および、図７の接続部「Ｂ５」以下の複写処理中のステップＳ７４、更に、通常の記録動作中にてコールされるサブルーチン「記録」処理について、図１４のフローチャートにより、説明する。
【００６４】
上記サブルーチン「記録」処理では、記録されるディレクトリが自動的に選択されるものとする。即ち、記録モードとして第１と第２の記録モードがあり、第１の記録モードは、これまでに消去されたディレクトリをも含めて、記録されていないディレクトリを検索し、ディレクトリ番号の最も少ないディレクトリを指定するモードであり、ディレクトリを無駄なく利用できる記録モードである。また、第２の記録モードは、これまでに画像データが記録、または、消去されたディレクトリのディレクトリ番号の後のディレクトリを指定する記録モードであり、消去ディレクトリが無駄となるが、記録の経過順に従った記録を行うことが可能な処理である。
【００６５】
上記第１，第２の記録モードを選択するための手段として、後述するフラグＲ１が適用される。例えば、記録媒体に上記フラグＲ１の値が記憶されており、その値を読み出すことによって、上記記録モードの指定がなされる。また、前記図２１のメニュー画面Ｇ１に続いて、記録モード選択のための表示画面をモニタに表示して、その画面を観察してスイッチ操作によりフラグＲ１の値を変え、記録モード指定を行うようにしてもよい。なお、後述する自動ファイル名生成処理に用いるフラグＲ２についても、上記フラグＲ１と同様に媒体に記録した値を読み出すか、画面上選択指定することによって設定するものとする。
【００６６】
上記サブルーチン「記録」処理を具体的に説明すると、まず、図１４のステップＳ１３１において、記録媒体のどのディレクトリに記録するかを検索するサブルーチン「空きディレクトリ番号検索」がコールされる。
【００６７】
このサブルーチンでは、図１５に示すように、ステップＳ１４１でフラグＲ１をチェックし、その値が１であれば、ステップＳ１４２に進み、第１の記録モードにおいて、これから記録するディレクトリを検索するサブルーチン「空きディレクトリ検索１」がコールされる。また、値が０であれば、ステップＳ１４３に進み、第２の記録モードにおいて、これから記録するディレクトリを検索するサブルーチン「空きディレクトリ検索２」がコールされる。
【００６８】
上記サブルーチン「空きディレクトリ検索１」は、図１６のフローチャートに示すように、ステップＳ１５１において、指定ディレクトリＮＯ．である（ＲＮ）を値１に設定する。そして、ステップＳ１５２にて（ＲＮ）番目のディレクトリに記録されているかどうかをチェックする。そこで、記録がされていないと判別された場合、ステップＳ１５３に進み、空きディレクトリＮＯ．を（ＲＮ）として本ルーチンを終了する。
【００６９】
上記ステップＳ１５２のチェックで、（ＲＮ）番目のディレクトリに記録なされていた場合、ステップＳ１５４にジャンプする。
【００７０】
上記ステップＳ１５４では、（ＲＮ）の値をインクリメントして、ステップＳ１５５に進み、上記（ＲＮ）の値と記録媒体の記録可能な最大コマ数、即ち、最大ディレクトリエントリ数ＲＮｍａｘと一致するかをチェックする。一致しない場合は、ステップＳ１５２に戻る。一致した場合は、ステップＳ１５６，１５７に進み、空きディレクトリなしと判断し、「ＣＡＲＤ  ＦＵＬＬ」に表示を行い本ルーチンを終了する。
【００７１】
また、上記サブルーチン「空きディレクトリ検索２」は、図１７のフローチャートに示すように、ステップＳ１６１において、指定ディレクトリＮＯ．である（ＲＮ）を最大ディレクトリ番号ＲＮｍａｘに設定する。そして、ステップＳ１６２にて（ＲＮ）番目のディレクトリに記録されているかどうかをチェックする。記録されていると判別した場合、ステップＳ１６３，１６４に進み、空きディレクトリなしと判断し、「ＣＡＲＤ  ＦＵＬＬ」の表示を行い本ルーチンを終了する。また、上記ステップＳ１６２で（ＲＮ）番目のディレクトリに記録されていないと判別された場合、ステップＳ１６５に進む。
【００７２】
ステップＳ１６５では、（ＲＮ）の値をインクリメントして、ステップＳ１６６に進み、上記（ＲＮ）番目のディレクトリに記録されているかどうかをチェックする。記録がされていると判別された場合、上記（ＲＮ）番目のディレクトリまで記録がなされていると判断し、ステップＳ１６７にジャンプする。そして、空きディレクトリ番号として（ＲＮ）＋１を指定し、本ルーチンを終了する。また、上記ステップＳ１６６の判別で記録なしと判別された場合、ステップＳ１６８に進み、（ＲＮ）の値が１であるかチェックする。該値が１であった場合、全てのディレクトリをチェックしたが、全て記録されていなかったと判断し、ディレクトリ番号（ＲＮ）を１として本ルーチンを終了する。上記（ＲＮ）の値が１でなかった場合、ステップＳ１６５に戻る。
【００７３】
前記図１４のサブルーチン「記録」処理のステップＳ１３１に続いてステップＳ１３２が実行される。このステップでは、サブルーチン「ファイル名自動生成」がコールされる。
【００７４】
図１８は、上記サブルーチン「ファイル名自動生成」のフローチャートである。本ルーチンは、前記記録再生制御部１４に内蔵されるファイル名を割り当てるための手段により処理されるルーチンであって、ファイル名の一部を任意設定不可能とし、その部分を自動的に設定し、他部を任意設定可能とするファイル名生成処理を行う。
【００７５】
まず、ステップＳ１７１において、媒体に記録された前記フラグＲ２の値をチェックし、値が１の場合はステップＳ１７２に、値が０の場合はステップＳ１７３に進み、サブルーチン「ファイル名自動生成１」、または、「ファイル名自動生成２」の処理を実行する。
【００７６】
上記サブルーチン「ファイル名自動生成１」は、図１９のフローチャートに示すように、ステップＳ１８１において、ファイル名の左から１桁目〜３桁目を固定の文字、例えば、ＤＦＳを指定する。ステップＳ１８２において、ファイル名の左から４桁目を装置により設定される文字、例えば、Ａを指定する。
【００７７】
この文字の設定は、図２４に示すメニュー画面Ｇ３上で設定することも可能である。即ち、この場合、メニュー画面Ｇ３上で１行目を赤色表示とし、Ａの部分をＢ，Ｃ等に変化せしめて上記４桁目を設定する。
【００７８】
ステップＳ１８２に続いて、ステップＳ１８３において、左から５桁目〜８桁目に自動的に指定されている記録ディレクトリの番号、例えば、００３６を設定する。続いて、ステップＳ１８４において上記ステップＳ１８１〜Ｓ１８３で指定した文字を合成してファイル名に設定する。例えば、上記の場合はＤＦＳ  Ａ００３６．ＸＸＸとなる。なお、上記ＸＸＸは、ファイル名の従属名である。
【００７９】
上記のようにサブルーチン「ファイル名自動生成１」においては、ファイル名の一部に自己が対応するディレクトリであるディレクトリ番号が含まれるので、画像データのコピー時などにおいて、装置が自動的にディレクトリ番号をファイル名の１部に付加する。従って、操作者はリネームの必要がなく、また、同じ名前のファイルが消されてしまうなどの不具合もなくなる。
【００８０】
前記サブルーチン「ファイル名自動生成２」は、図２０のフローチャートに示すように、ステップＳ１９１において、現在、コピーモードであるかどうかを判別し、コピーモードであった場合、ステップＳ１９７にジャンプして、ファイル名を変えることなく本ルーチンを終了する。また、コピーモードでなかった場合、ステップＳ１９２に進み、ファイル名の左から１桁目〜３桁目を固定の文字、例えば、ＤＦＳを指定する。ステップＳ１９３において、ファイル名の左から４桁目を装置により設定される文字、例えば、Ｂを指定する。ステップＳ１９４において、左から５桁目〜８桁目に前記ＥＥＰＲＯＭ１４ｅに記憶されているファイル通し番号（ＲＭ）の値、例えば、００６３を設定する。ステップＳ１９５にて上記ファイル通し番号（ＲＭ）の値をインクリメントする。そして、ステップＳ１９６において、上記ステップＳ１９２〜Ｓ１９４で指定した文字等を合成してファイル名に設定する。例えば、上述の場合はＤＦＳ  Ｂ  ００６３．ＸＸＸとなる。なお、上記ＸＸＸは、ファイル名の従属名である。
【００８１】
上記のようにサブルーチン「ファイル名自動生成２」においては、同一種類の装置が複数台あったとしても、各装置が上記４桁目の文字で区別されるので装置間での混同が生じない。また、ファイル名の一部に自己が対応し、ＥＥＰＲＯＭ１４ｅにて記憶され、管理されるファイル通し番号が含まれるので、媒体を交換しても番号の重複は４桁の範囲で発生しない。従って、画像データのコピー時などにおけるファイル名のリネームの必要がなく、また、同じ名前のファイルが重複することもなく、また、同一ファイル名の画像データが消されてしまうなどの不具合もなくなる。
【００８２】
なお、上記ファイル通し番号（ＲＭ）に対しては、別に、年月日時分秒の値を加工したデータを用いても良い。また、上記ファイル通し番号は、前記図２４のメニュー画面Ｇ３の表示状態において、２行目を赤色表示状態として値０にリセットすることも可能である。
【００８３】
次に、本装置の電源部について説明する。
【００８４】
上記電源部は、適用する電池２５として、通常、定格電圧１．５Ｖのマンガン電池の６個が電池収納部にて直列接続され、レギュレータ入力側のＤＣ９Ｖの電源部を構成するものである。そして、その代替え用の電池として、例えば、定格電圧１．８Ｖのリチウム電池の５個を使用することも可能であって、この場合、図２５に示す電池様導体２７の１個をダミー電池として装着可能な電源部とする。この場合も１．８Ｖの電池が直列に５個接続されることからレギュレータ入力側はＤＣ９Ｖの電源部となる。
【００８５】
上記電池様導体２７は、当該電池の正極端子に相応する第１の導体部２７ａと該第１の導体部と実質的に導通状態になされた当該電池の負極端子に相応する第２の導体部とを有している。従って、他の仕様の電池を適用する場合、例えば、リチウム電池を適用する場合、リチウム電池の５個と電池様導体２７の１個とを直列に接続するによって、その供給電圧がマンガン電池の６個を直列接続した状態での供給電圧と略等しくなり、電圧の過不足による動作不良や、回路等の破損が防止される。
【図面の簡単な説明】
【００８６】
【図１】本発明の一実施例の画像取り扱い装置である画像記録再生装置において、リモコン送信器，モデム等を接続した状態でのブロック構成図。
【図２】上記図１の画像記録再生装置の前面パネル部の配置図。
【図３】上記図１の記録再生装置のメインルーチンのフローチャート。
【図４】上記図３のメインルーチンにおけるフローチャートにおける接続部「Ｂ４」以下のフローチャート。
【図５】上記図３のメインルーチンにおけるフローチャートにおける接続部「Ｂ１」以下のフローチャート。
【図６】上記図５のメインルーチンでコールされるサブルーチン「ＩＮＴ  ＲＥＣ動作」のフローチャート。
【図７】上記図３のメインルーチンにおけるフローチャートにおける接続部「Ｂ５」以下のフローチャート。
【図８】上記図３のメインルーチンにおける、本発明にかかる画像記録再生装置１の本実施例の動作のフローチャート。
【図９】上記図８のメインルーチンでコールされるサブルーチン「ＣＯＭＰ２  ＳＷ処理」のフローチャート。
【図１０】上記図８のメインルーチンでコールされるサブルーチン「ＲＩＧＨＴ  ＳＷ処理」のフローチャート。
【図１１】上記図８のメインルーチンでコールされるサブルーチン「ＬＥＦＴ  ＳＷ処理」のフローチャート。
【図１２】上記図８のメインルーチンでコールされるサブルーチン「ＵＰ  ＳＷ処理」のフローチャート。
【図１３】上記図８のメインルーチンでコールされるサブルーチン「ＤＯＷＮ  ＳＷ処理」のフローチャート。
【図１４】上記図６のサブルーチン「ＩＮＴ  ＲＥＣ動作」、および、上記図７のメインルーチン等でコールされるサブルーチン「記録」のフローチャート。
【図１５】上記図１４のサブルーチン「記録」でコールされるサブルーチン「空きディレクトリ番号検索」のフローチャート。
【図１６】上記図１５のサブルーチン「空きディレクトリ番号検索」でコールされるサブルーチン「空きディレクトリ検索１」のフローチャート。
【図１７】上記図１５のサブルーチン「空きディレクトリ番号検索」でコールされるサブルーチン「空きディレクトリ検索２」のフローチャート。
【図１８】上記図１４のサブルーチン「記録」でコールされるサブルーチン「ファイル名自動生成」のフローチャート。
【図１９】上記図１８のサブルーチン「ファイル名自動生成」でコールされるサブルーチン「ファイル名自動生成１」のフローチャート。
【図２０】上記図１８のサブルーチン「ファイル名自動生成」でコールされるサブルーチン「ファイル名自動生成２」のフローチャート。
【図２１】上記図１の画面記録再生装置のインターバル記録処理に対するメニュー画面の１例を示す図。
【図２２】上記図１の画面記録再生装置のＶＲＡＭ内の２画面表示処理時の動作説明図。
【図２３】上記図１の画面記録再生装置の２画面表示例を示す図。
【図２４】上記図１の画面記録再生装置のフィルム名自動生成処理に対するメニュー画面の１例を示す図。
【図２５】上記図１の画面記録再生装置に適用される別電源の装着時に適用される電池様導体の側面図。
【符号の説明】
【００８７】
１    画像記録再生装置（画像取り扱い装置）
１６ｍ    ＣＯＭＰ２  ＳＷ（表示領域指定手段）
１６ｖ    ＲＩＧＨＴ  ＳＷ（スクロール処理手段）
１６ｔ    ＬＥＦＴ  ＳＷ  （スクロール処理手段）
ステップＳ１０１〜Ｓ１０５
ＣＯＭＰ２  ＳＷの処理（表示領域指定手段）
ステップＳ１１１〜Ｓ１１３
ＲＩＧＨＴ  ＳＷの処理（スクロール処理手段）
ステップＳ１１５〜Ｓ１１７
ＬＥＦＴ  ＳＷの処理（スクロール処理手段）
【図１】
2008211813.tif 000005
【図２】
2008211813.tif 000006
【図３】
2008211813.tif 000007
【図４】
2008211813.tif 000008
【図５】
2008211813.tif 000009
【図６】
2008211813.tif 000010
【図７】
2008211813.tif 000011
【図８】
2008211813.tif 000012
【図９】
2008211813.tif 000013
【図１０】
2008211813.tif 000014
【図１１】
2008211813.tif 000015
【図１２】
2008211813.tif 000016
【図１３】
2008211813.tif 000017
【図１４】
2008211813.tif 000018
【図１５】
2008211813.tif 000019
【図１６】
2008211813.tif 000020
【図１７】
2008211813.tif 000021
【図１８】
2008211813.tif 000022
【図１９】
2008211813.tif 000023
【図２０】
2008211813.tif 000024
【図２１】
2008211813.tif 000025
【図２２】
2008211813.tif 000026
【図２３】
2008211813.tif 000027
【図２４】
2008211813.tif 000028
【図２５】
2008211813.tif 000029